(57)【要約】【課題】蓄光性材料を用いた表示装置の表面外観は、この材料特有の粗雑感と単調な色調を呈し、高級感に欠ける欠点があるので、蓄光性材料を直接視認できない構成にする。【解決手段】蓄光部材と、この蓄光部材を表面からは直接視認できないように被覆する被覆部材と、表面に外光が照射される場合は、前記蓄光部材に外光を反射導入することで発光エネルギーを供給する反射部材であって、外光の照射が不足する場合は、前記蓄光部材の発光を表面に反射導出して照明するための前記反射部材と、を具備し、前記蓄光部材と、前記反射部材との間には透明な光路部分が形成されている蓄光表示装置。【選択図】    図２
2004258056.tif 000002
【特許請求の範囲】
【請求項１】
蓄光部材と、この蓄光部材を表面からは直接視認できないように被覆する被覆部材と、表面に外光が照射される場合は、前記蓄光部材に外光を反射導入することで発光エネルギーを供給する反射部材であって、外光の照射が不足する場合は、前記蓄光部材の発光を表面に反射導出するための前記反射部材と、を具備し、前記蓄光部材と、前記反射部材との間には透明な光路部分が形成されていることを特徴とする蓄光表示装置。
【請求項２】
前記反射部材の有効平面積は、前記蓄光部材の有効平面積より大きいことを特徴とする、請求項１の蓄光表示装置。
【請求項３】
前記被覆部材は、文字形状あるいは表示を目的とするパターン形状に形作られていることを特徴とする、請求項１ないしは請求項２の蓄光表示装置。
【請求項４】
前記反射部材を含む前記光路部分に、文字形状あるいは表示を目的とするパターン形状を設けたことを特徴とする、請求項１ないしは請求項２の蓄光表示装置。
【発明の詳細な説明】
【０００１】
【発明の属する技術分野】
本発明は、表示装置に係わり、特に、蓄光性材料（以降、蓄光材と称す）を用いることにより、外光が不足ないしは照射されていない場合にも視認可能な表示装置に関するものである。
【０００２】
【従来の技術】
従来、表示装置の表面に蛍光性材料や蓄光材を形成して夜間や照明の不足している場合でも、前記表面を視認できるように構成された表示装置は、例えば夜光時計などとして市販されている。特に蓄光材を利用したものは、かなりの長時間にわたり発光するため、視認に好適とされ、一例として特開平１１−２８１７６４などがある。蓄光材を表札に利用した一例としては特開２００２−２５１１５４がある。ただし蓄光材の表面外観は、この材料特有の粗雑感と特異な色調を呈するので、例えば特開平１１−２８１３６５にも示されているように、蓄光材の表面側に、成形された表面を有する透明な被覆層を備えることで、蓄光材の粗雑感を低減し、時計に高級感を持たせたものもある。
【０００３】
【発明が解決しようとする課題】
しかしながら、このような従来例において、蓄光材の発光は単調であり、たとえ透明な被覆層を通してでも、奥行き感に乏しく、外観上、深みに欠ける欠点がある。また蓄光材の粗雑感は、透明な被覆層を通して、ある程度、外観に現われてしまう弱点もある。といっても被覆層の光透過率を下げると、蓄光材に発光エネルギーを蓄える効率が落ちるので、被覆層の光透過率を、あまり下げることができないという限界がある。
【０００４】
【課題を解決するための手段】
上記の課題は、以下に示す本発明によって解決される。すなわち本発明は、表示装置の表面側から見て、最前部に被覆部材、この層の下側に蓄光材からなる部材（以降、蓄光部材と称す）、この更に下には、透明な光路部分が用意され、この光路部分の更に下には光学的な反射部材、を設けた階層的な構造であることを特徴とする、蓄光材を用いた表示装置であって、この装置に外光が照射されている場合には、表面の前記被覆部材や、反射部材を含む光路部分が視認可能であり、この外光が前記の反射部材によって反射されて前記蓄光部材に導かれ、それが、この蓄光部材を刺激して発光エネルギーとして蓄えられ、外光が不足あるいは照射されていない場合には、前記蓄光部材が発光し、前記反射部材によって反射された反射光が視認されることで、文字形状あるいは表示を目的とするパターン形状が形成されている被覆部材のシルエット、あるいは反射部材を含む光路部分が視認可能であるような表示装置、を開示して、従来無かった奥行き感の豊かな、上品な意匠性を付加し、産業上まことに有益なものとしている。
【０００５】
【発明の実施の形態】
以下、図面に基づいた実施例により、本発明を詳細に具体的に説明するが、本発明が、これらによって何ら限定されるものではない。
【０００６】
図１，２は、本発明における蓄光表示装置の実施例のひとつとしての装身具を示す。図１は、装身具の正面図、図２は、装身具の断面図、としてあらわしたものである。
【０００７】
装飾を施したクロス（十字架）１を表面から見たとき、その裏面には、クロス１と同じ形状パターン輪郭の被覆部材２が具備されており、更に、その裏面には、やはり同じ輪郭の蓄光部材３が設けられている。蓄光部材３の、更に裏面には、透明な部材５が固着され、最も後面に配置された反射部材４と蓄光部材３との間で、この透明な部材５が光路部分を形成している。反射部材４は、以上に述べた各部材１，２，３，５と一体的に固着され、支持部材としての役割も有している。反射部材４の上部には、首にかけるための鎖４ａが連結されている。
【０００８】
このような構成の装身具が外光の照射を受けても、蓄光部材３は被覆部材２によって被覆されており、表面から視認することができないので、装飾されたクロス１など、この装身具の高い装飾性は、蓄光材の質感や色調によって損なわれるようなことがない。
【０００９】
また物理的、化学的な観点から見て、比較的弱い蓄光部材３は、この構成によって外部から良く隔離保護されている。
【００１０】
次に、この構成での作用を述べる。図２に一例を示すように、外光６がじゅうぶん照射されているときは、透明な部材５を介して反射部材４で反射される光路が形成され、この外光６は蓄光部材３に到達できる。これにより、外光６は蓄光部材３を刺激して発光エネルギーとして蓄えられることになる。より多くの発光エネルギー蓄積のために、反射部材４の有効平面積は、蓄光部材３の有効平面積より大きいことが望ましい。
【００１１】
外光が不足するか照射されない場合には、蓄光部材３の発光７が、反射部材４で反射されて表面に導出されるように、透明な部材５のなかに光路が形成される。この結果、図１の表面から見ると、クロス１の形状を暗いシルエットに変えながら、その周囲に蓄光部材の発光７が視認されることとなる。発光７はクロス１のシルエットから離れるほど視認できる発光度合いが弱くなり、クロス１周囲の明るさに、傾斜的な変化が付く。即ちクロス１の周囲には、いわゆるグラデーションの効果と奥行き感が得られるので、明るさが少ない社交場などの雰囲気のなかで、好ましい高級感を演出することができる。また言うまでもなく、電池など別のエネルギー源を必要としないので、余計なコストがかからず、環境に対する負荷が小さい。
【００１２】
図３，４は、本発明における蓄光表示装置の別の実施例としての表札を示す。図３は、表札の正面図、図４は、表札の断面図、としてあらわしたものである。
【００１３】
表札を表面から見たとき、視認される文字８は、光を透過しない被覆部材（塗料なども含む）からなっている。この裏面には、文字８と同じ輪郭の蓄光部材９が設けられている。蓄光部材９の、更に裏面には、透明な部材１０が固着され、最も後面に配置された反射部材１１と蓄光部材９との間で、この透明な部材１０が光路部分を形成している。反射部材１１は、以上に述べた各部材８，９，１０と一体的に固着されている。
【００１４】
このような構成の表札が外光の照射を受けても、蓄光部材９は被覆部材８によって被覆されており、表面から視認することができないので、蓄光部材の質感や色調によって、表札の格調を損なうようなことがない。
【００１５】
次に、この構成での作用を述べる。図４に一例を示すように、外光１２がじゅうぶん照射されているときは、透明な部材１０を介して反射部材１１で反射される光路が形成され、この外光１２は蓄光部材９に到達できる。これにより、外光１２は蓄光部材９を刺激して発光エネルギーとして蓄えられることになる。より多くの発光エネルギー蓄積のために、反射部材１１の有効平面積は、蓄光部材９の有効平面積より大きいことが望ましい。
【００１６】
外光が不足するか照射されない場合には、蓄光部材９の発光１３が、反射部材１１で反射されて表面に導出されるように、透明な部材１０のなかに光路が形成される。この結果、図３の表面から見ると、文字８の輪郭形状を暗いシルエットに変えながら、その周囲に蓄光部材の発光１３が視認されることとなる。発光１３は文字８のシルエットから離れるほど視認できる発光度合いが弱くなり、文字８周囲の明るさに、傾斜的な変化が付く。即ち文字８の周囲には、いわゆるグラデーションの効果と奥行き感が得られるので、明るさが少ない夜間などの雰囲気のなかで、好ましい高級感を演出することができる。
【００１７】
図５，６は、本発明における蓄光表示装置の別の実施例としての時計を示す。図５は、時計の正面図、図６は、時計の断面図、としてあらわしたものである。
【００１８】
時計の短針１４を表面から見たとき、その裏面には、短針１４と同じ輪郭の蓄光部材１６が設けられている。短針１４は光を透過しない材料で作られており、表面から見ると蓄光部材１６を被覆していることになる。時計の長針１５の裏面にも、同様にして蓄光部材１６が設けられている。短針１４と長針１５は、図示しない公知の時計ムーブメントによって回転駆動される。短針１４と長針１５から透明空間部をへだてて、時計の文字盤を兼ねた反射部材１７が配置される。反射部材１７の表面側には時刻を読み取るのに便利な数字あるいはマーク１８が固着されている。これらを保護するための透明カバー１９が最前部に具備され、これらが全体としてケース２０の中に収納されている。
【００１９】
このような構成の時計が外光の照射を受けても、蓄光部材１６は短針１４、長針１５によって被覆されており、表面から視認することができないので、蓄光材の質感や色調によって、この時計の装飾性や高級感を損なうようなことがない。
【００２０】
次に、この構成での作用を述べる。図６に一例を示すように、外光２１がじゅうぶん照射されているときは、透明空間部を経由して反射部材１７で反射される光路が形成され、この外光２１は蓄光部材１６に到達できる。これにより、外光２１は蓄光部材１６を刺激して発光エネルギーとして蓄えられることになる。より多くの発光エネルギー蓄積のために、反射部材１７の有効平面積は、蓄光部材１６の有効平面積より大きいことが望ましい。
【００２１】
外光が不足するか照射されない場合には、蓄光部材１６の発光２２が、反射部材１７で反射されて表面に導出されるよう、透明空間部のなかに光路が形成される。この結果、図５の表面から見ると、短針１４、長針１５の形状を暗いシルエットに変えながら、その周囲に蓄光部材の発光２２が視認されることとなる。発光２２は長針１４、短針１５のシルエットから離れるほど視認できる発光度合いが弱くなり、短針１４、長針１５の周囲の明るさに、傾斜的な変化が付く。即ち短針１４、長針１５の周囲には、いわゆるグラデーションの効果と奥行き感が得られるので、夜間など明るさが少ない雰囲気のなかで、所有者に満足感を持たせることができる。
【００２２】
図７，８は、本発明の実施例である時計として、更なる別の例を示す。図７は、時計の正面図、図８は、時計の断面図、としてあらわしたものである。
【００２３】
短針２３と長針２４は、図示しない公知の時計ムーブメントによって回転駆動される。これらを保護するための透明カバー２９が最前部に具備され、これらが全体としてケース３０の中に収納されている。透明カバー２９の裏面中央には被覆部材２５が固着されている。表面から見たとき、被覆部材２５は、短針２３と長針２４の回転中心部分を被覆しているが、先端部分は被覆していないために、時刻の確認には全く支障ない。被覆部材２５の裏面には、蓄光部材２６が設けられている。蓄光部材２６から、透明空間部をへだてて、時計の文字盤を兼ねた反射部材２７が配置される。図８に示す通り、この透明空間部のなかに、短針２３と長針２４も位置することになる。反射部材２７の表面側には時刻を読み取るのに便利な数字あるいはマーク２８が固着されている。
【００２４】
このような構成の時計が外光の照射を受けても、蓄光部材２６は被覆部材２５によって被覆されており、表面から視認することができないので、蓄光材の質感や色調によって、この時計の装飾性や高級感を損なうようなことがない。
【００２５】
次に、この構成での作用を述べる。図８に一例を示すように、外光３１がじゅうぶん照射されているときは、透明空間部を経由して反射部材２７で反射される光路が形成され、この外光３１は蓄光部材２６に到達できる。これにより、外光３１は蓄光部材２６を刺激して発光エネルギーとして蓄えられることになる。より多くの発光エネルギー蓄積のために、反射部材２７の有効平面積は、蓄光部材２６の有効平面積より大きいことが望ましい。
【００２６】
外光が不足するか照射されない場合には、蓄光部材２６の発光３２が、反射部材２７で反射されて表面に導出されるように、透明空間部のなかに光路が形成される。この結果、図７の表面から見ると、短針２３と長針２４の先端部が発光３２に照射されて、視認されることとなる。発光３２は被覆部材２５から離れるほど視認できる発光度合いが弱くなり、明るさに、傾斜的な変化が付く。即ち被覆部材２５の周囲には、いわゆるグラデーションの効果と奥行き感が得られるので、夜間など明るさが少ない雰囲気のなかで、所有者に満足感を持たせることができる。
【００２７】
図９，１０は、本発明における蓄光表示装置の別の実施例としての案内表示板を示す。図９は、案内表示板の正面図、図１０は、案内表示板の断面図、としてあらわしたものである。
【００２８】
案内表示板は、例えば劇場の客席椅子の背もたれ上部に設置されて、その椅子の座席番号を特定する用途などに使用されるが、これに限定されず、各種の表示に用いられることができる。図１０に示すように、この案内表示板を表面から見たとき、蓄光部材３４は、被覆部材３３の裏面に具備されている。蓄光部材３４の、更に裏面には、透明部材３５が固着され、最も後面に配置された反射部材３６と蓄光部材３４との間で、この透明部材３５が光路部分を形成している。反射部材３６の上面には、表示すべき文字３７が設けられる。なお、反射部材３６を、ネジ止めなどの既知の方法で、透明部材３５と接離可能にすれば、文字３７を変更するときなどに便利である。この場合、蓄光部材３４など、反射部材３６以外の部品は、文字３７の種類にかかわらず単一のものを共通に使うことができて、大量生産が可能となり生産上のメリットがある。
【００２９】
このような構成の案内表示板が外光の照射を受けても、蓄光部材３４は被覆部材３３によって被覆されており、表面から視認することができないので、蓄光材の質感や色調によって、案内表示板の格調を損なうようなことがない。また物理的、化学的な観点から見て、比較的弱い蓄光部材３４は、この構成によって外部から良く隔離保護されている。
【００３０】
次に、この構成での作用を述べる。図１０に示すように、外光３８がじゅうぶん照射されているときは、透明な部材３５を介して反射部材３６で反射される光路が形成され、この外光３８は蓄光部材３４に到達できる。これにより、外光３８は蓄光部材３４を刺激して発光エネルギーとして蓄えられることになる。より多くの発光エネルギー蓄積のために、反射部材３６の有効平面積は、蓄光部材３４の有効平面積より大きいことが望ましい。
【００３１】
外光が不足するか照射されない場合には、蓄光部材３４の発光３９が、反射部材３６で反射されて表面に導出されるように、透明部材３５のなかに光路が形成される。この結果、図９の表面から見ると、反射部材３６と、そのうえに設けられた文字３７が、蓄光部材３４の発光３９によって照射され、視認されることとなる。発光３９は被覆部材３３から離れるほど視認できる発光度合いが弱くなり、明るさに、傾斜的な変化が付く。即ち文字３７の周囲には、いわゆるグラデーションの効果と奥行き感が得られるので、明るさが少ない劇場などの雰囲気のなかで、好ましい高級感を演出することができる。
【００３２】
【発明の効果】
本発明の蓄光表示装置によれば、外光の照射を受けても、蓄光部材は被覆されており、表面から視認することができないので、蓄光材の粗い質感や単調な色調によって、格調を損なうようなことがない。また、蓄光部材の外観性に配慮した、特殊な表面処理や高い寸法精度は不要であり、蓄光部材のムラやばらつきに対する許容範囲が広いことから、コストのかからない生産工程を採用できるという産業上のメリットがある。部分的な発光を効果的に生かしているために、高価な蓄光性材料の使用を、比較的少なくできるメリットもある。更には、物理的、化学的な観点から見て、比較的弱い蓄光部材は、外部から良く隔離保護されている。また更には、明るさが少ない夜間などで、蓄光表示装置の表面から視認できる蓄光部材の発光は、明るさに、傾斜的な変化が付く。即ち、いわゆるグラデーションの効果と奥行き感が得られるので、上品な意匠性を付加し、好ましい高級感を効果的に演出することができて、商品の価値を高め、産業上まことに有益なものとしている。また言うまでもなく、電池など別のエネルギー源を必要としないので、余計な初期コスト、維持コストがかからず、環境に対する負荷が小さい。
【図面の簡単な説明】
【図１】本発明における蓄光表示装置の実施例のひとつとしての装身具の正面図。
【図２】本発明における蓄光表示装置の実施例のひとつとしての装身具の断面図。
【図３】本発明における蓄光表示装置の別の実施例としての表札の正面図。
【図４】本発明における蓄光表示装置の別の実施例としての表札の断面図。
【図５】本発明における蓄光表示装置の別の実施例としての時計の正面図。
【図６】本発明における蓄光表示装置の別の実施例としての時計の断面図。
【図７】本発明における蓄光表示装置の更に別の実施例としての時計の正面図。
【図８】本発明における蓄光表示装置の更に別の実施例としての時計の断面図。
【図９】本発明における蓄光表示装置の別の実施例としての案内表示板の正面図。
【図１０】本発明における蓄光表示装置の別の実施例としての案内表示板の断面図。
【符号の説明】
１……クロス（十字架）
２……被覆部材
３……蓄光部材
４……反射部材
４ａ……鎖
５……透明部材
６……外光
７……発光
８……文字
９……蓄光部材
１０……透明部材
１１……反射部材
１２……外光
１３……発光
１４……短針
１５……長針
１６……蓄光部材
１７……反射部材
１８……マーク
１９……透明カバー
２０……ケース
２１……外光
２２……発光
２３……短針
２４……長針
２５……被覆部材
２６……蓄光部材
２７……反射部材
２８……マーク
２９……透明カバー
３０……ケース
３１……外光
３２……発光
３３……被覆部材
３４……蓄光部材
３５……透明部材
３６……反射部材
３７……文字
３８……外光
３９……発光
【図１】
2004258056.tif 000003
【図２】
2004258056.tif 000004
【図３】
2004258056.tif 000005
【図４】
2004258056.tif 000006
【図５】
2004258056.tif 000007
【図６】
2004258056.tif 000008
【図７】
2004258056.tif 000009
【図８】
2004258056.tif 000010
【図９】
2004258056.tif 000011
【図１０】
2004258056.tif 000012